(57)【特許請求の範囲】
【請求項１】
尿を吸収する保持シートと、尿中の水分が透過せず前記保持シートの両面の全域を被覆する第１及び第２保護シートとから構成され；
前記第１及び２保護シートの双方又はいずれかが透湿性のシートであり；
前記保持シート、前記第１及び第２保護シートは、それらの一端部域において固定されていることを特徴とする検尿用シート。
【請求項２】
尿を吸収する保持シートと、尿中の水分が透過せず前記保持シートの両面の全域を被覆する第１及び第２保護シートとから構成され；
前記第１及び２保護シートの双方又はいずれかが透湿性のシートであり；
前記保持シートは、互いに平行な第１及び第２端縁と、互いに平行な第１及び第２側縁とで形成される方形を有し；
前記第１及び第２保護シートは、互いに平行な第１及び第２端縁と、互いに平行な第１及び第２側縁とで形成される同大の方形を有し；
前記第１及び第２保護シートの第１及び第２端縁間の寸法が、前記保持シートの第１及び第２端縁間の寸法よりも大きい寸法であり；
前記保持シートの前記第１端縁が、前記第１及び第２保護シートの前記第１端縁に隣接するとともに、前記第１及び第２保護シートの第１端縁が前記保持シートの第１端縁から外へ延出するように重ね合せられ；
前記保持シートは、その前記第１端縁において前記第１及び第２保護シートの少なくとも一方に接合され；
前記第１及び第２保護シートは、前記保持シートの第１端縁から外へ延出する前記第１及び第２保護シートの第１端縁において互いに接合されている；
ことを特徴とする検尿用シート。
【請求項３】
尿を吸収する保持シートと、尿中の水分が透過せず前記保持シートの両面の全域を被覆する第１及び第２保護シートとから構成され；
前記第１及び２保護シートの双方又はいずれかが透湿性のシートであり；
前記保持シートは、互いに平行な第１及び第２端縁と、互いに平行な第１及び第２側縁とで形成される方形を有し；
前記第１及び第２保護シートは、互いに平行な第１及び第２端縁と、互いに平行な第１及び第２側縁とで形成される同大の方形を有し；
前記第１及び第２保護シートの第１及び第２端縁間の寸法が、前記保持シートの第１及び第２端縁間の寸法よりも大きい寸法であり；
前記保持シートの前記第１端縁が、前記第１及び第２保護シートの前記第１端縁に隣接するとともに、前記第１及び第２保護シートの第１端縁が前記保持シートの第１端縁から外へ延出し、かつ前記保持シートの前記第２端縁が、前記第１及び第２保護シートの前記第２端縁に隣接するとともに前記第１及び第２保護シートの第２端縁が前記保持シートの第２端縁から外へ延出するように重ね合せられ；
前記保持シートは、その前記第１端縁において前記第１及び第２保護シートの少なくとも一方に接合され；
前記第１及び第２保護シートは、前記保持シートの第１端縁から外へ延出する前記第１及び第２保護シートの第１端縁と、前記保持シートの第２端縁から外へ延出する前記第１及び第２保護シートの第２端縁とにおいてそれぞれ接合されている；
ことを特徴とする検尿用シート。
【請求項４】
尿を吸収する保持シートと、尿中の水分が透過せず前記保持シートの両面の全域を被覆する第１及び第２保護シートとから構成され；
前記第１及び２保護シートの双方又はいずれかが透湿性のシートであり；
前記保持シートは、互いに平行な第１及び第２端縁と、互いに平行な第１及び第２側縁とで形成される方形を有し；
前記第１及び第２保護シートは、互いに平行な第１及び第２端縁と、互いに平行な第１及び第２側縁とで形成される同大の方形を有し；
前記第１及び第２保護シートの第１及び第２端縁間の寸法が、前記保持シートの第１及び第２端縁間の寸法よりも大きく、かつ第１及び第２側縁間の寸法が前記保持シートの第１及び第２側縁間の寸法よりも大きい寸法であり；
前記保持シートの前記第１端縁が、前記第１及び第２保護シートの前記第１端縁に隣接するとともに、前記第１及び第２保護シートの第１端縁が前記保持シートの第１端縁から外へ延出し、かつ前記保持シートの前記第２端縁が、前記第１及び第２保護シートの前記第２端縁に隣接するとともに前記第１及び第２保護シートの第２端縁が前記保持シートの第２端縁から外へ延出し、さらに前記第１及び第２保護シートの第１側縁が前記保持シートの第１側縁から外へ延出するように重ね合わせられ；
前記保持シートは、その前記第１端縁において前記第１及び第２保護シートの少なくとも一方に接合され；
前記第１及び第２保護シートは、前記保持シートの第１端縁から外へ延出する前記第１及び第２保護シートの第１端縁と、前記保持シートの第２端縁から延出する第１及び第２保護シートの第２端縁と、前記保持シートの第１側縁から延出する前記第１及び第２保護シートの第１側縁とにおいてそれぞれ互いに接合されている；
ことを特徴とする検尿用シート。
【請求項５】
前記保持シートは、親水性又は吸水性素材からなる請求項１ないし４のいずれかに記載の検尿用シート。
【請求項６】
前記第１及び第２保護シートは、疎水性素材からなる請求項１ないし５のいずれかに記載の検尿用シート。
【請求項７】
前記第１及び第２保護シートは、透湿性を有する請求項１ないし６のいずれかに記載の検尿用シート。
【請求項８】
前記第１保護シートは、疎水性かつ透湿性の熱可塑性合成樹脂フィルムからなり、前記第２保護シートは、疎水性かつ熱可塑性合成繊維製の透湿性の不織繊維布からなる請求項１ないし７のいずれかに記載の検尿用シート。
【請求項９】
前記保持シート、前記第１及び第２保護シートは、長方形である請求項１ないし８のいずれかに記載の検尿用シート。
【発明の詳細な説明】
【０００１】
【発明の属する技術分野】
本発明は、尿を吸収させて検査に供する検尿用シートに関する。
【０００２】
【従来の技術】
検尿のための尿の採取方法の一つとして、吸水性の検尿用シートに尿を吸収させ、このシートを検体にすることがある。シートに尿を吸収させるには、採尿カップの中の尿にシートの一部分を浸漬する場合と、シートの一部分に向けて尿を直接排泄する場合とがある。
【０００３】
【発明が解決しようとする課題】
検尿用シートは、吸尿の前後いずれにおいても手や異物に触れないことが好ましい。そうしたものに触れることによって、検査結果に異常を来すことがある。また、吸尿後のシートは、吸湿材とともに袋に入れて保管することがあり、その袋にシートを入れるときには、濡れたシートに手が触れて手を汚すことがある。
【０００４】
本発明の課題は、吸尿前後においての取り扱いと保管とが容易であり、吸尿時に手を汚すおそれのない検尿用シートの提供である。
【０００５】
【課題を解決するための手段】
本発明は次の検尿用シートである。
（１）  尿を吸収する保持シートと、尿中の水分が透過せず前記保持シートの両面の全域を被覆する第１及び第２保護シートとから構成され；
前記第１及び２保護シートの双方又はいずれかが透湿性のシートであり；
前記保持シート、前記第１及び第２保護シートは、それらの一端部域において固定されていることを特徴とする検尿用シート。
（２）  尿を吸収する保持シートと、尿中の水分が透過せず前記保持シートの両面の全域を被覆する第１及び第２保護シートとから構成され；
前記第１及び２保護シートの双方又はいずれかが透湿性のシートであり；
前記保持シートは、互いに平行な第１及び第２端縁と、互いに平行な第１及び第２側縁とで形成される方形を有し；
前記第１及び第２保護シートは、互いに平行な第１及び第２端縁と、互いに平行な第１及び第２側縁とで形成される同大の方形を有し；
前記第１及び第２保護シートの第１及び第２端縁間の寸法が、前記保持シートの第１及び第２端縁間の寸法よりも大きい寸法であり；
前記保持シートの前記第１端縁が、前記第１及び第２保護シートの前記第１端縁に隣接するとともに、前記第１及び第２保護シートの第１端縁が前記保持シートの第１端縁から外へ延出するように重ね合せられ；
前記保持シートは、その前記第１端縁において前記第１及び第２保護シートの少なくとも一方に接合され；
前記第１及び第２保護シートは、前記保持シートの第１端縁から外へ延出する前記第１及び第２保護シートの第１端縁において互いに接合されている；
ことを特徴とする検尿用シート。
（３）  尿を吸収する保持シートと、尿中の水分が透過せず前記保持シートの両面の全域を被覆する第１及び第２保護シートとから構成され；
前記第１及び２保護シートの双方又はいずれかが透湿性のシートであり；
前記保持シートは、互いに平行な第１及び第２端縁と、互いに平行な第１及び第２側縁とで形成される方形を有し；
前記第１及び第２保護シートは、互いに平行な第１及び第２端縁と、互いに平行な第１及び第２側縁とで形成される同大の方形を有し；
前記第１及び第２保護シートの第１及び第２端縁間の寸法が、前記保持シートの第１及び第２端縁間の寸法よりも大きい寸法であり；
前記保持シートの前記第１端縁が、前記第１及び第２保護シートの前記第１端縁に隣接するとともに、前記第１及び第２保護シートの第１端縁が前記保持シートの第１端縁から外へ延出し、かつ前記保持シートの前記第２端縁が、前記第１及び第２保護シートの前記第２端縁に隣接するとともに前記第１及び第２保護シートの第２端縁が前記保持シートの第２端縁から外へ延出するように重ね合せられ；
前記保持シートは、その前記第１端縁において前記第１及び第２保護シートの少なくとも一方に接合され；
前記第１及び第２保護シートは、前記保持シートの第１端縁から外へ延出する前記第１及び第２保護シートの第１端縁と、前記保持シートの第２端縁から外へ延出する前記第１及び第２保護シートの第２端縁とにおいてそれぞれ接合されている；
ことを特徴とする検尿用シート。
（４）  尿を吸収する保持シートと、尿中の水分が透過せず前記保持シートの両面の全域を被覆する第１及び第２保護シートとから構成され；
前記第１及び２保護シートの双方又はいずれかが透湿性のシートであり；
前記保持シートは、互いに平行な第１及び第２端縁と、互いに平行な第１及び第２側縁とで形成される方形を有し；
前記第１及び第２保護シートは、互いに平行な第１及び第２端縁と、互いに平行な第１及び第２側縁とで形成される同大の方形を有し；
前記第１及び第２保護シートの第１及び第２端縁間の寸法が、前記保持シートの第１及び第２端縁間の寸法よりも大きく、かつ第１及び第２側縁間の寸法が前記保持シートの第１及び第２側縁間の寸法よりも大きい寸法であり；
前記保持シートの前記第１端縁が、前記第１及び第２保護シートの前記第１端縁に隣接するとともに、前記第１及び第２保護シートの第１端縁が前記保持シートの第１端縁から外へ延出し、かつ前記保持シートの前記第２端縁が、前記第１及び第２保護シートの前記第２端縁に隣接するとともに前記第１及び第２保護シートの第２端縁が前記保持シートの第２端縁から外へ延出し、さらに前記第１及び第２保護シートの第１側縁が前記保持シートの第１側縁から外へ延出するように重ね合わせられ；
前記保持シートは、その前記第１端縁において前記第１及び第２保護シートの少なくとも一方に接合され；
前記第１及び第２保護シートは、前記保持シートの第１端縁から外へ延出する前記第１及び第２保護シートの第１端縁と、前記保持シートの第２端縁から延出する第１及び第２保護シートの第２端縁と、前記保持シートの第１側縁から延出する前記第１及び第２保護シートの第１側縁とにおいてそれぞれ互いに接合されている；
ことを特徴とする検尿用シート。
（５）  前記保持シートは、親水性又は吸水性素材からなる上記（１）ないし（４）のいずれかに記載の検尿用シート。
（６）  前記第１及び第２保護シートは、疎水性素材からなる上記（１）ないし（５）のいずれかに記載の検尿用シート。
（７）  前記第１及び第２保護シートは、透湿性を有する上記（１）ないし（６）のいずれかに記載の検尿用シート。
（８）  前記第１保護シートは、疎水性かつ透湿性の熱可塑性合成樹脂フィルムからなり、前記第２保護シートは、疎水性かつ熱可塑性合成繊維製の透湿性の不織繊維布からなる上記（１）ないし（７）のいずれかに記載の検尿用シート。
（９）  前記保持シート、前記第１及び第２保護シートは、長方形である上記（１）ないし（８）のいずれかに記載の検尿用シート。
【００１０】
【発明の実施の形態】
本発明に係る検尿用シートを添付の図に基づいて具体的に説明する。
【００１１】
図１は、検尿用シート１の部分破断斜視図であり、図２は、厚み方向に分解した検尿用シート１の斜視図である。検尿用シート１は、検査用の尿を吸収させるための保持シート２と、保持シート２の両面のそれぞれの全域を被覆する第１，２保護シート３，４とで構成されている。保持シート２は、長方形であって幅方向に沿う互いに平行な一対の端縁５Ａ，５Ｂと、長さ方向に沿う互いに平行な一対の側縁６Ａ，６Ｂとを有する。第１保護シート３は、幅方向に沿う互いに平行な一対の端縁７Ａ，７Ｂと、長さ方向に沿う互いに平行な一対の側縁８Ａ、８Ｂとを有し、第２保護シート４は、幅方向に沿う互いに平行な一対の端縁９Ａ，９Ｂと、長さ方向に沿う互いに平行な一対の側縁１０Ａ，１０Ｂとを有する。
【００１２】
図示例の第１，２保護シート３，４は同形同大であり、第１保護シート３の端縁７Ａ，７Ｂの長さＷ２と第２保護シート４の端縁９Ａ，９Ｂの長さＷ３とが、保持シート２の端縁５Ａ，５Ｂの長さＷ１と同じであり、第１保護シート３の側縁８Ａ，８Ｂの長さＬ２と第２保護シート４の側縁１０Ａ，１０Ｂの長さＬ３とが保持シート２の側縁６Ａ，６Ｂの長さＬ１よりも長い。かかる検尿用シート１は、保持シート２を中間層とする３層構造である。
【００１３】
検尿用シート１は、保持シート２の端縁５Ａと第１，２保護シート３，４の端縁７Ａ，９Ａとを揃え、保持シート２の端縁５Ｂとこの端縁５Ｂが位置する第１，２保護シート３，４の端縁７Ｂ，９Ｂの近傍とにおいて接合された第１接合部１１を有する。さらに、検尿用シート１は、保持シート２の端縁５Ｂから外方へ延出した第１，２保護シート３，４がそれらの端縁７Ｂ，９Ｂにおいて互いに接合された第２接合部１２を有する。
【００１４】
保持シート２には、尿を吸収保持することができる材料、例えば、親水性若しくは吸水性繊維又はその他の吸水性材料からなるシートが使用される。そのようなシートの中でも、溶出成分が少なく形態保持性の良い公知の分析用濾紙が特に好ましい。第１，２保護シート３，４には、尿中の水分が透過しない材料、例えば疎水性の材料からなり、好ましくは強い撥水性を有し連続膜を形成する合成樹脂シート（フィルム）や不織繊維布が使用される。合成樹脂フィルムとしては、例えば、ポリエチレン、ポリプロピレン、ポリエステル等の疎水性樹脂からなる厚さ０．０２〜０．３ｍｍ程度のシート、好ましくは、保持シート２が吸収した尿中の水分が気化したときの湿気が透過可能な透湿性のものが使用される。また、合成樹脂フィルムとしては、尿中の水分が透過しない限り、微細な透孔を有していてもよい。不織繊維布としては、疎水性の熱可塑性合成樹脂、例えば、ポリエチレン、ポリプロピレン、ポリエステル等の繊維からなり、坪量１０〜１００ｇ／ｍ2を有する透湿性のものが使用される。第１，２保護シート３，４は、それらの一方が合成樹脂フィルム、他方が不織繊維布又はそれらの両方が合成樹脂フィルム又は不織繊維布であってもよい。
【００１５】
このように構成された検尿用シート１は、検尿者等が第１接合部１１と第２接合部１２との間を摘持し、第１，２保護シート３，４をめくって保持シート２を露出させる。保持シート２の露出部分は、そこに直接尿を排泄して吸収させるか、または採尿カップ内の尿に浸漬して尿を吸収させる。その後、第１，２保護シート３，４で保持シート２の両面の全域を再び被覆する。さらに必要なら、この検尿用シート１は、乾燥剤とともに合成樹脂製の保存袋に入れて密封しておくことができる。袋の中の検尿用シート１では、尿が第１及び／又は第２保護シートの外へ滲出することは殆どないから、尿で袋の内面を汚すことがない。尿中の水分が気化したときには、その湿気は第１及び／又は第２保護シートを透過して乾燥剤に吸収される。乾燥状態になった保持シート２では、カビや細菌の繁殖が抑えられる。
【００１６】
第１，２保護シート３，４は、保持シート２の全域を被覆できる大きさを有していればよいもので、その他に寸法や形状についての制約はない。第１，２保護シート３，４は、保持シート２の各面に対して第１接合部１１で接合する他に、第１，２保護シート３，４のいずれか一方のみが第１接合部１１で保持シート２に接合し、第１，２保護シート３，４どうしが、保持シート２の外で接合していてもよい。これらシート２〜４を接合するには、シートの材質によりホットメルト接着剤を使用したり、ヒートシールやソニックシールの技術を利用したりすることができる。検尿者等が検尿用シート１を摘持するのに多くの面積を必要としない場合には、シート２〜４を第１接合部１１のみで接合し、第２接合部１２を省くことができる。
【００１７】
図３、４は、図１とは異なる態様の検尿用シート１の部分破断斜視図と、保持シート２を露出させたときの検尿用シート１の斜視図である。図３に示す検尿用シート１は、第１保護シート３と第２保護シート４とが、保持シート２の一方の端縁５Ｂから延出していることに加え、もう一方の端縁５Ａからも延出している。端縁５Ａの外で第１，２保護シート３，４の端縁７Ａ，９Ａが互いに接合された第３接合部１３を有し、保持シート２の端縁５Ａと第３接合部１３とが寸法Ｌ４だけ離間している。
【００１８】
図４に示すように、図３に示す検尿用シート１は、保持シート２を第１，２保護シート３，４の側縁８Ａ，１０Ａの間から露出させて尿を吸収させ、その後、第１，２保護シート３，４の間に収納する。保持シート２の端縁５Ａと第３接合部１３とは、前記離間寸法Ｌ４によって、露出時や収納時に保持シート２の端縁５Ａが第３接合部１３に引っかかることがない。この検尿用シート１は、保持シート２を第１保護シート３と第２保護シート４の一方の側縁８Ａ，１０Ａの間から又は他方の側縁８Ｂ，１０Ｂの間からのいずれからも露出させることができる。この態様の検尿用シート１では、第１，２保護シート３，４が図１に示すものほどには自由に動くことがないから、それだけ保持シート２を確実に被覆することができる。
【００１９】
図５，６は、図１，３とは異なる態様の検尿用シート１の部分破断斜視図と、保持シート２を露出させたときの検尿用シート１の斜視図である。図５に示す検尿用シート１は、第１，２保護シート３，４の幅方向の長さＷ４が保持シート２の幅方向の長さＷ１よりも長く、保持シート２の側縁６Ｂから外側方向へ延出した第１保護シート３と第２保護シート４とを側縁８Ｂ，１０Ｂにおいて互いに接合された第４接合部１４を有する。第１保護シート３と第２保護シート４とは、第１接合部１１、第３接合部１３、第４接合部１４を有することで保持シート２を収納できる袋を形成する。図６に示すように、この検尿用シート１は、保持シート２の過半を第１，２保護シート３，４の側縁８Ａ、１０Ａから露出させて尿を吸収させる。保持シート２を第１，２保護シート３，４が形成する袋に収納した場合、保持シート２から滲出した尿が第１，２保護シート３，４の端縁７Ａ，９Ａ及び側縁８Ｂ，１０Ｂから漏れることはない。また、この検尿用シート１は、図１，３に例示のものに比べ、保持シート２を第１，２保護シート３，４で一層確実に被覆することができる。
【００２０】
【発明の効果】
本発明に係る検尿用シートは、尿を吸収させた保持シートが第１，２保護シートで被覆されて、手または異物と接触することがなく、尿の成分が変化しない。第１，２保護シートの双方又はいずれかに透湿性のシートを使用しているので、保持シートに吸収した尿の水分を蒸発させて、保持シートを乾燥させることが容易であり、乾燥した保持シートでは、カビや細菌の繁殖を防止することができる。検尿用シートを摘持するのは、非吸水性の保護シートの部分であるから、保護シートから露出させた保持シートに多量の尿を吸収させた場合でも、手を汚すことがない。
【図面の簡単な説明】
【図１】検尿用シートの部分破断斜視図。
【図２】厚み方向に分解した検尿用シートの斜視図。
【図３】図１とは異なる態様の検尿用シートの部分破断斜視図。
【図４】保持シートを露出させたときの図３の検尿用シートの斜視図。
【図５】図１，３とは異なる態様の検尿用シートの部分破断斜視図。
【図６】保持シートを露出させたときの図５の検尿用シートの斜視図。
【符号の説明】
１              検尿用シート
２              保持シート
３              第１保護シート
４              第２保護シート
５Ａ、５Ｂ      端縁
６Ａ、６Ｂ      側縁
７Ａ、７Ｂ      端縁
８Ａ、８Ｂ      側縁
９Ａ、９Ｂ      端縁
１０Ａ、１０Ｂ    側縁
【図１】
0003965765.tif 000002
【図２】
0003965765.tif 000003
【図３】
0003965765.tif 000004
【図４】
0003965765.tif 000005
【図５】
0003965765.tif 000006
【図６】
0003965765.tif 000007